(57)【要約】【課題】スキャナの設置状況を検知し、適正な設置調整を行なうようにユーザに知らせることにより、設置状況の劣悪に起因する異常画像の発生を回避すること。【解決手段】画像情報を読み取り、当該画像情報を接続機器に供給する装置において、装置の振動を検知する振動検知センサ１０６と、装置の水平度合いを検知する水準器１０７と、装置の状態を表示する操作表示部１０２と、振動検知センサ１０６による設置の振動量、水準器１０７による設置の水平度があらかじめ定められた値にしたがって設置合否を判断し、前記表示手段に表示するスキャナ制御部１０１と、を備える。【選択図】        図２
2005094490.tif 000002
【特許請求の範囲】
【請求項１】
画像情報を読み取り、当該画像情報を接続機器に供給する画像読取装置において、
装置の振動を検知する振動検知手段と、
装置の水平度合いを検知する水平度検知手段と、
装置の状態を表示する表示手段と、
前記振動検知手段による設置の振動量、水平度検知手段による設置の水平度があらかじめ定められた値にしたがって当該設置状態が読取品質を保証できるかの可否を判断し、不可の場合に前記表示手段に表示するスキャナ制御手段と、
を備えたことを特徴とする画像読取装置。
【請求項２】
さらに、
前記接続機器から分離されたことを検知する分離検知手段と、
装置機内の熱を排熱する排気手段と、
を備え、
前記スキャン制御手段は、分離検知手段により分離されたことを検知した場合、前記排気手段の排気動作を制御することを特徴とする請求項１に記載の画像読取装置。
【請求項３】
前記スキャン制御手段は、分離検知手段により分離されたことを検知した場合、読取品質にかかわる調整動作を実行することを特徴とする請求項２に記載の画像読取装置。
【請求項４】
スキャナと画像形成部とが機械的に分離可能な画像形成装置において、
前記スキャナは、
装置の振動を検知する振動検知手段と、
装置の水平度合いを検知する水平度検知手段と、
装置の状態を表示する表示手段と、
前記スキャナが前記画像形成部から分離された場合に、前記振動検知手段による設置の振動量、水平度検知手段による設置の水平度があらかじめ定められた値にしたがって当該設置状態が読取品質を保証できるかの可否を判断し、不可の場合に前記表示手段に表示するスキャナ制御手段と、
を備えたことを特徴とする画像形成装置。
【請求項５】
さらに、
前記スキャナは、
前記画像形成部から分離されたことを検知する分離検知手段と、
装置機内の熱を排熱する排気手段と、
を備え、
前記スキャン制御手段は、分離検知手段により分離されたことを検知した場合、前記排気手段の排気動作を制御することを特徴とする請求項４に記載の画像形成装置。
【請求項６】
前記スキャン制御手段は、分離検知手段により分離されたことを検知した場合、読取品質にかかわる調整動作を実行することを特徴とする請求項５に記載の画像形成装置。
【発明の詳細な説明】
【技術分野】
【０００１】
本発明は、スキャナとプリンタ部とを機械的に分離した画像読取装置および画像形成装置に関するものである。
【背景技術】
【０００２】
従来、デジタル複写機などにおいて、スキャナとプリンタ部とを分離させ、ユーザ環境に即したシステムが知られている。すなわち、アクセシビリティの観点から障害者等の方が、容易にアクセスすることができるように、原稿台および操作部の位置が高いときにスキャナを分離させ、よりアクセスしやすい場所に設置することを行える機能を持っている。また、最近の複写機の動向として、ネットワーク化が進んでおり、ネットワークインターフェースを利用して、コンピュータと接続し、プロッタ部をプリンタとして利用したり、スキャナをネットワークスキャナとして利用して原稿をコンピュータに読み込んだりする機能が常識化しつつある。
【０００３】
このような装置としては、それぞれ独立した複数のスキャナステーションとプリントステーションをネットワークで接続することにより、画像読み取り機能と印字機能を分離し、複数の使用者による同時作業を可能にし、印字効率を向上させるデジタル複写機が開示されている（たとえば、特許文献１参照）。
【０００４】
従来の複写機において、特に動作中のスキャナは、ランプ光源や、モータ稼働部からの発熱およびプリンタ部、特に定着部や排紙ユニットからの上昇熱により内部の温度が上昇し、冷却を必要としている。そのため、一般的な手法として、ファンを搭載して、気流を作り出すことにより冷却を行うことがなされていた。ファンの搭載は、騒音などの上昇も支障となることにより、温度センサで回転数を制御したり、省エネモード時に停止させるなどの工夫もなされていた。このように、デジタル複写機などにおいてはスキャナはその上部に配置される場合が多いことから、プリンタの定着装置などの熱に起因するスキャナの温度上昇を抑制するために、排気ファンを設けている。
【０００５】
また、従来のスキャナでは、電源オン時などに、読み取り信号の黒レベル、白レベルやグレーバランスなどの調整を実施している。これらの調整を行なうことにより、いつでも適正な画像データを読みとれる状態に保たれていた。ただ、この調整時間を短縮させる工夫もなされ、工場出荷時の調整だけとかタイマーによるスキャン回数に応じて調整開始のトリガをかけたりして、ユーザーが調整の間待つことなく機械を素早く操作できるようになってきている。
【０００６】
【特許文献１】特開平７−３１１６６４号公報
【発明の開示】
【発明が解決しようとする課題】
【０００７】
上記に示されるようなスキャナを分離して使用するデジタル複写機にあっては、スキャナをプリンタ部から離して使用する場合、スキャナの読取品質などを確保する上で設置条件に制約があるため、ユーザマニュアルなどを介してその設置調整を促していた。しかしながら、スキャナの設置状況において、たとえば水平度や振動状態が正常値から外れていると、スキャナを構成しているキャリッジ（ミラー、レンズ）、ＣＣＤなどの光学系に対して影響を及ぼし良好に画像を読み込むことができないことが生じる。すなわち、設置状況の劣悪によって画像読取品質も低下し、その結果、印字品質も劣悪になってしまうという問題点があった。
【０００８】
すなわち、分離したスキャナの設置条件については、ユーザマニュアルなどで注意は喚起されるものの理想的な状態であるかについて一般的にユーザが判断するには、難しく実際に原稿あるいはテストチャートをスキャンし、その画像を出力することで判断しなければならなかった。
【０００９】
また、スキャナの温度上昇を抑制する排気ファンは、分離状態でも通常に駆動されるため、必要以上に電力を消費したり、また、騒音を発するといった問題点があった。
【００１０】
本発明は、上記に鑑みてなされたものであって、スキャナの設置状況を検知し、適正な設置調整を行なうようにユーザに知らせることにより、設置状況の劣悪に起因する異常画像の発生を回避することを第１の目的とする。
【００１１】
また、スキャナが分離して使用される場合に必要最小限の排気を行なうことにより、省電力化および低騒音化を図ることを第２の目的とする。
【００１２】
また、スキャナが分離して使用される場合に読取品質にかかわる自動的に調整を行なうことにより、最適な状態での使用状態を提供することを第３の目的とする。
【課題を解決するための手段】
【００１３】
上述した課題を解決し、目的を達成するために、請求項１にかかる発明は、画像情報を読み取り、当該画像情報を接続機器に供給する画像読取装置において、装置の振動を検知する振動検知手段と、装置の水平度合いを検知する水平度検知手段と、装置の状態を表示する表示手段と、前記振動検知手段による設置の振動量、水平度検知手段による設置の水平度があらかじめ定められた値にしたがって当該設置状態が読取品質を保証できるかの可否を判断し、不可の場合に前記表示手段に表示するスキャナ制御手段と、を備えたことを特徴とする。
【００１４】
請求項１にかかる発明によれば、画像情報を読み取り、当該画像情報を接続機器に供給する画像読取装置において、当該装置が接続機器から分離して使用される場合、装置の振動を振動検知手段で検知し、設置の水平度を水平度検知手段で検知し、この検知結果があらかじめ定めた規格外であった場合に設置状態を不可、すなわち品質保証上において好ましくない状態、つまり読取品質が規格外になるおそれがあるとして判断し、表示手段にその旨を表示することにより、設置状況の劣悪に起因して読取品質が悪化するのをユーザに知らせることが可能になる。
【００１５】
また、請求項２にかかる発明は、さらに、前記接続機器から分離されたことを検知する分離検知手段と、装置機内の熱を排熱する排気手段と、を備え、前記スキャン制御手段は、分離検知手段により分離されたことを検知した場合、前記排気手段の排気動作を制御することを特徴とする。
【００１６】
また、請求項２にかかる発明によれば、請求項１において、分離検知手段により分離されたことを検知した場合、たとえば、プリンタの定着装置からの排熱の影響を受けなくなるので、排気手段の排気動作を過度にしなくても必要最小限に制御することが可能になる。
【００１７】
また、請求項３にかかる発明は、前記スキャン制御手段は、分離検知手段により分離されたことを検知した場合、読取品質にかかわる調整動作を実行することを特徴とする。
【００１８】
また、請求項３にかかる発明によれば、請求項２において、分離検知手段により当該装置が分離されたことを検知した場合、読取品質にかかわる調整動作を実行することで、その設置（移動）後の品質の確保を自動的に行なうことが可能になる。
【００１９】
また、請求項４にかかる発明は、スキャナと画像形成部とが機械的に分離可能な画像形成装置において、前記スキャナは、装置の振動を検知する振動検知手段と、装置の水平度合いを検知する水平度検知手段と、装置の状態を表示する表示手段と、前記スキャナが前記画像形成部から分離された場合に、前記振動検知手段による設置の振動量、水平度検知手段による設置の水平度があらかじめ定められた値にしたがって当該設置状態が読取品質を保証できるかの可否を判断し、不可の場合に前記表示手段に表示するスキャナ制御手段と、を備えたことを特徴とする。
【００２０】
また、請求項４にかかる発明によれば、スキャナと画像形成部とが機械的に分離可能な画像形成装置において、スキャナが画像形成部から分離して使用される場合、装置の振動を振動検知手段で検知し、設置の水平度を水平度検知手段で検知し、この検知結果があらかじめ定めた規格外であった場合に設置状態を不可、つまり読取品質が規格外になるおそれがあるとして判断し、表示手段にその旨を表示することにより、設置状況の劣悪に起因して読取品質が悪化するのをユーザに知らせることが可能になる。
【００２１】
また、請求項５にかかる発明は、さらに、前記スキャナは、前記画像形成部から分離されたことを検知する分離検知手段と、装置機内の熱を排熱する排気手段と、を備え、前記スキャン制御手段は、分離検知手段により分離されたことを検知した場合、前記排気手段の排気動作を制御することを特徴とする。
【００２２】
また、請求項５にかかる発明によれば、請求項４において、分離検知手段により分離されたことを検知した場合、たとえば、画像形成部の定着装置からの排熱を受けなくなるので、排気手段の排気動作を過度にしなくても必要最小限に制御することが可能になる。
【００２３】
また、請求項６にかかる発明は、前記スキャン制御手段は、分離検知手段により分離されたことを検知した場合、読取品質にかかわる調整動作を実行することを特徴とする。
【００２４】
また、請求項６にかかる発明によれば、請求項５において、分離検知手段により当該装置が分離されたことを検知した場合、読取品質にかかわる調整動作を実行することで、その設置（移動）後の品質の確保を自動的に行なうことが可能になる。
【発明の効果】
【００２５】
本発明（請求項１）にかかる画像読取装置は、画像情報を読み取り、当該画像情報を接続機器に供給する画像読取装置において、当該装置が接続機器から分離して使用される場合、装置の振動を振動検知手段で検知し、設置の水平度を水平度検知手段で検知し、この検知結果があらかじめ定めた規格外であった場合に設置状態を不可として判断し、表示手段にその旨を表示することにより、設置状況の劣悪に起因して読取品質が悪化するのをユーザに知らせることが可能になるため、異常画像の発生を回避することができるという効果を奏する。
【００２６】
また、本発明（請求項２）にかかる画像読取装置は、請求項１において、分離検知手段により分離されたことを検知した場合、たとえば、プリンタの定着装置からの排熱を受けなくなるので、排気手段の排気動作を過度にしなくても必要最小限に制御することが可能になるため、省電力化および低騒音化を図ることができるという効果を奏する。
【００２７】
また、本発明（請求項３）にかかる画像読取装置は、請求項２において、分離検知手段により当該装置が分離されたことを検知した場合、読取品質にかかわる調整動作を実行することで、その設置（移動）後の品質の確保を自動的に行なうことが可能になるため、最適な状態での使用状態を提供することができるという効果を奏する。
【００２８】
また、本発明（請求項４）にかかる画像形成装置は、スキャナと画像形成部とが機械的に分離可能な画像形成装置において、スキャナが画像形成部から分離して使用される場合、装置の振動を振動検知手段で検知し、設置の水平度を水平度検知手段で検知し、この検知結果があらかじめ定めた規格外であった場合に設置状態を不可として判断し、表示手段にその旨を表示することにより、設置状況の劣悪に起因して読取品質が悪化するのをユーザに知らせることが可能になるため、異常画像の発生を回避することができるという効果を奏する。
【００２９】
また、本発明（請求項５）にかかる画像形成装置は、請求項４において、分離検知手段により分離されたことを検知した場合、たとえば、画像形成部の定着装置からの排熱を受けなくなるので、排気手段の排気動作を過度にしなくても必要最小限に制御することが可能になるため、その分、省電力化および低騒音化を図ることができるという効果を奏する。
【００３０】
また、本発明（請求項６）にかかる画像形成装置は請求項５において、分離検知手段により当該装置が分離されたことを検知した場合、読取品質にかかわる調整動作を実行することで、その設置（移動）後の品質の確保を自動的に行なうことが可能になるため、最適な状態での使用状態を提供することができるという効果を奏する。
【発明を実施するための最良の形態】
【００３１】
以下に添付図面を参照して、この発明にかかる画像読取装置および画像形成装置の最良な実施の形態を詳細に説明する。
【００３２】
本発明は、スキャナが、レーザプリンタやパーソナルコンピュータなどの機器から物理的に離して使用可能であって、分離して使用する際に、水平レベルや振動レベルなどの設置状況を検知し、その検知結果にしたがってユーザへの報知などを行なったり、黒レベル、白レベルやグレイバランスなどの読取品質に関連する調整を自動的に行なうものである。以下、詳細に説明する。
【００３３】
（実施の形態）
図１は、本発明の実施の形態にかかる画像形成装置の構成を示す説明図である。本構成は、デジタル複写機の構成を示すものであり、スキャナ１００とプリンタ２００が分離して使用できるようになっている。図１におけるスキャナ１００は、コンタクトガラス上の原稿を光学走査してＣＣＤに結像させて読み取るフラットベットタイプスキャナが好ましい。また、プリンタ２００は、電子写真プロセスにしたがって記録紙に画像を形成するモノクロあるいはフルカラーのレーザプリンタで構成されている。なお、スキャナ１００の解像度は、普及型の解像度３００〜６００ｄｐｉのほか、高解像度（たとえば１２００ｄｐｉなど）である方が、水平度、振動レベルが厳しい値となるので、この発明としての効果が大きくなる。
【００３４】
図２は、本発明の実施の形態にかかる画像形成装置の構成を示すブロック図である。スキャナ１００は、スキャナ制御部１０１、操作表示部１０２、画像読取部１０３、ファンモータ１０４、ファン駆動部１０５、振動検知センサ１０６、水準器１０７、分離検知センサ１０８を備えている。プリンタ２００は、プリンタ制御部２０１、作像部２０２、給紙部２０３を備えている。また、スキャナ１００とプリンタ２００とは相互通信可能に信号ケーブルで接続されている。また、スキャナ１００は、パーソナルコンピュータなどと接続可能なインターフェイス機能（不図示）を有し、ネットワークに接続されて使用することも可能である。
【００３５】
スキャナ制御部１０１は、スキャナ全体の制御を統括的に行なうためにＣＰＵ，ＲＯＭ，ＲＡＭといったマイクロコンピュータシステムでなる。すなわち、ＲＯＭに後述する制御プログラムを格納し、これをＣＰＵが読み出して実行する。操作表示部１０２は、各種の操作設定などを行なうキー群および設定の状態や装置の状態などを表示するたとえばＬＣＤ(液晶パネル)で構成される表示パネルが設けれている。画像読取部１０３は、原稿画像を光学的にＣＣＤ（ｃｈａｒｇｅ  ｃｏｕｐｌｅｄ  ｄｅｖｉｃｅ：電荷結合素子）に導いて読み取るものである。
【００３６】
ファンモータ１０４は、スキャナ内の温度上昇値を、電気的な特性の安定化および安全規格をクリアするために機外に排気する軸流ファンである。ファン駆動部１０５はファンモータ１０４のオン／オフ駆動や回転数制御を、スキャナ制御部１０１から送られる指示信号にしたがって行なうものである。すなわち、ファンモータ１０４は、後述するようにファン駆動部１０５を介して分離／非分離の状態により回転数が切り替えられたり、あるいは停止するなどの制御が行なわれる。
【００３７】
振動検知センサ１０６は設置場所に振動を検知するものである。水準器１０７はスキャナの水平度を検知するものである。水準器１０７としては簡易的で一般に知られている水準器を用い、たとえば気泡あるいは目盛の位置を光学的に検知することで実現する。なお、水準器１０７の代わりに傾斜計を用いてもよい。水準器には円形あるいは棒状の透明部材の中に特殊液体を密封したタイプ、糸の先に錘を吊るしたタイプなどいずれのタイプを用いてもよい。
【００３８】
分離検知センサ１０８は、たとえばフォトインタラプタのような光学センサを用い、プリンタ２００側に設けられた突起２０４によって分離状態であるかを検知する。すなわち、このスキャナ１００の分離検知は、フォトインタラプタの凹部にプリンタ２００の突起２０４がセット状態で入り込んでおり、分離時に突起が凹部から抜けることで、分離／非分離を検知するものである。なお、この光学センサの代わりにリードスイッチ、マイクロスイッチや金属センサなどスキャナ１００とプリンタ２００との分離が検知され、許容可能なコストであれば何であってもよい。
【００３９】
プリンタ制御部２０１は、プリンタ全体を統括的に制御するマイクロコンピュータシステムで構成されている。作像部２０２は、レーザ光による書き込み系、電子写真プロセスの各ユニットを備えている。給紙部２０３は、各種サイズの記録紙を積載し、給紙搬送するものである。なお、プリンタ２００は一般的に知られているモノクロあるいはフルカラーのレーザプリンタであり、感光体上にトナー像を形成し、これを記録紙上に転写した後、このトナー像を熱および圧力の作用で定着する定着装置（不図示）を備えている。
【００４０】
定着装置は、一般的に知られているように加熱ヒータを内蔵した定着ローラとこれに対向して加圧して回転する加圧ローラとを備え、この両ローラのニップ部分で定着するものである。したがって、連続動作を行なうと高い温度上昇が発生し、この装置上部にスキャナを置いた場合には、機内の温度上昇値を、機能上および安全規格（ＵＬ，ＣＳＡ、ＶＤＥなど）で規定されている範囲を満足する上において排熱用(冷却用)のファンが必要になる。
【００４１】
つぎに、以上のように構成された画像形成装置おける本発明に特徴となる動作について説明する。図３は、本発明の実施の形態にかかる画像形成装置のスキャナ設置状態の合否判定動作例をフローチャートである。この動作はスキャナ制御部１０１によって実行される。図３において、まず、スキャナ１００がプリンタ２００上から移動され、分離されたか否かを判断する（ステップＳ１１）。すなわち、スキャナ１００がプリンタ２００上から移動され、分離検知センサ１０８から突起２０４が離れたかで分離されたことを検知する。
【００４２】
このステップＳ１１において、分離検知センサ１０８から突起２０４が離れ、スキャナ１００が分離されたと判断した場合、さらに水準器１０７による水平レベルはあらかじめ定められた適正値であるか否かを判断する（ステップＳ１２）。ここで適正な水平レベルであると判断した場合、さらに設置場所の振動は規格内であるか否かを判断する（ステップＳ１３）。このステップＳ１３において、設置場所の振動があらかじめ定められた規格内であればこの一連の動作を終了する。すなわち、スキャナ１００がプリンタ２００から分離されたかをチェックし、分離された場合にその設置場所の振動および水平度（傾斜度）を確認する。
【００４３】
一方、ステップＳ１２において規格外の水平度、ステップＳ１３において規格外の振動であると判断した場合、その旨を示すメッセージなどを操作表示部１０２へ表示し、設置場所の変更や使用不可といったメッセージ表示などの処理を実行する（ステップＳ１４）。なお、水平度が規格外である場合には、たとえば図４に示すように操作表示部１０２のパネル１１０に「スキャナの水平調整を行なって下さい、水平ＮＧ」といったガイダンスを表示する。
【００４４】
また、設置場所の振動が規格外であったと判断した場合、図５に示すように、たとえば「設置場所の振動が大きすぎます、振動ＮＧ」といった表示をパネル１１０に表示する。このような表示により、ユーザは的確な処置を行なうことができる。なお、この表示メッセージは一例であり、これに限るものではなく、他のメッセージやオブジェクト表示、あるいは音声ガイダンス、あるいはこれらを組み合わせたものであってもよい。
【００４５】
ところで、スキャナ１００がプリンタ２００から分離したと、分離検知センサ１０８の信号によって判断した場合には、プリンタ２００の定着装置からの上昇熱が、皆無となることに着目して、そのようなときに、ファン駆動部１０５をスキャナ制御部１０１が制御し、ファンモータ１０４の回転を停止、あるいは低回転とように制御を切り替える。
【００４６】
すなわち、スキャナ１００の分離検知センサ１０８のオン／オフで分離状態を判断し、ファンモータ１０４をファン駆動部１０５により制御し、ファンモータ１０４の停止あるいは低速回転を行う。これにより、ファンモータ１０４の回転に起因する騒音が下がるか、あるいはそのレベルが下がると共に、省電力化が実現する。
【００４７】
なお、上述したファンモータ１０４の駆動制御を、分離検知センサを不要にした低コストででも行なうことができる。たとえば、スキャナ１００をプリンタ２００から分離した場合、ユーザが操作表示部１０２に設けられたスイッチ（分離モードといった専用のスイッチ、あるいはパネル上にソフトウェアで表示されタッチによって機能するスイッチを設ける）によって手動で行なうことも可能である。
【００４８】
このようにファンモータ１０４の回転数低減あるいは回転停止の制御を実行することにより、スキャナ１００内部は適正な温度範囲に維持され、さらには不要に回転させる必要がなくなることから、省エネルギー化、低騒音化が容易に実現する。
【００４９】
つぎに、スキャナ１００がプリンタ２００から分離された場合における調整動作について図６に示すフローチャートを参照して説明する。この動作はスキャナ制御部１０１によって実行される。図６において、まず、スキャナ１００がプリンタ２００上から移動され、分離されたか否かを判断する（ステップＳ２１）。すなわち、前述と同様に、スキャナ１００がプリンタ２００上から移動され、分離検知センサ１０８から突起２０４が離れたかで分離されたことを検知する。ここで、分離検知センサ１０８から突起２０４が離れ、スキャナ１００が分離されたと判断した場合、さらに分離されてから調整を行なったか否かを判断する（ステップ２２）。ここで調整を行なったと判断した場合、調整の結果、正常になったか否かを判断する（ステップＳ２３）。ここで、正常な調整であれば一連の動作を終了し、未調整、あるいは調整が正常ではない場合、所定の調整を実行する（ステップＳ２４）。
【００５０】
なお、上記調整項目としては、読取信号の黒レベル、白基準板の読み取りによる白レベル調整、グレイバランスなどの調整が該当する。また、この調整は、スキャナ１００が分離された場合に実行されるが、ランプ光量の安定したタイミング、温度センサによる温度一定時のタイミングなどばらつき要因の少ないタイミングおよびこれらを考慮して行なう。また、この調整は分離検知センサ１０８による分離時、あるいはユーザ設定によって行なう。ただし、分離した状態で調整値の変化がなければ、従来のように、「たとえば、電源オフ／オン時に調整を行なう」ことなどで読取品質を確保する。
【００５１】
したがって、以上説明した実施の形態によれば、スキャナ分離時における設置環境に関する情報をユーザおよび製品メーカーともに容易に得ることができ、設置環境の不具合による異常画像などの発生予防および発生時の切り分け情報としての効果が期待できる。また、スキャナ分離時の低騒音化および、消費電力の低減についての効果が期待できる。さらに、スキャナ分離というメカニズムの変化に対して、自動的に調整を行い、常に最適な条件で適正な読み取り画像を得ることができる。
【００５２】
さて、この実施の形態ではスキャナ１００が分離可能なデジタル複写機を例にとって説明したが、この形態に限らずスキャナ単体やそのスキャナがネットワーク上に複数接続されているシステムにおいても同様に構成することが可能である。
【産業上の利用可能性】
【００５３】
以上のように、本発明にかかる画像読取装置および画像形成装置は、デジタル複写機、ファクシミリ装置などの画像形成装置、および各種のイメージスキャナなどに有用であり、特に、装置から分離して設置して使用されるイメージスキャナおよびこのようなイメージスキャナが接続されたネットワークシステムに適している。
【図面の簡単な説明】
【００５４】
【図１】本発明の実施の形態にかかる画像形成装置の構成を示す説明図である。
【図２】本発明の実施の形態にかかる画像形成装置の構成を示すブロック図である。
【図３】本発明の実施の形態にかかる画像形成装置のスキャナ設置状態の合否判定動作例をフローチャートである。
【図４】本発明の実施の形態にかかるスキャナの水平度が規格外の場合の表示例を示す説明図である。
【図５】本発明の実施の形態にかかるスキャナの設置場所の振動が規格外の場合の表示例を示す説明図である。
【図６】本発明の実施の形態にかかるスキャナがプリンタから分離された場合における調整動作を示すフローチャートである。
【符号の説明】
【００５５】
１００  スキャナ
１０１  スキャナ制御部
１０２  操作表示部
１０３  画像読取部
１０５  ファン駆動部
１０６  振動検知センサ
１０７  水準器
１０８  分離検知センサ
２００  プリンタ
【図１】
2005094490.tif 000003
【図２】
2005094490.tif 000004
【図３】
2005094490.tif 000005
【図４】
2005094490.tif 000006
【図５】
2005094490.tif 000007
【図６】
2005094490.tif 000008